(57)【要約】  【課題】  特定の装置の周囲にその装置と無線通信可能な複数の機器が存在する場合に、特別な操作を行うことなく、無線通信を行う対象の機器を特定し、その機器から画像データを取得してプリントできるようにする。  【解決手段】  無線通信可能な複数の機器のうちの無線通信を行う対象の特定の機器の表示部に表示された画像を、その画像を捕捉した画像捕捉部から取り込む画像取込部１０１と、複数の機器のうちのいずれかの機器から無線通信部が受信した、その機器の表示部に表示された画像を含む状態情報を取得する状態情報取得部１０２と、画像取込部１０１が取り込んだ画像と状態情報取得部１０２が取得した状態情報に含まれる画像とが一致するかの照合を行う一次照合部１０３と、両画像が一致していれば、その特定の機器から画像データを取得するデータ取得部１０４と、取得した画像データに基づく印刷を指示する印刷指示部１０５とを備える。  【選択図】  図３
2005094206.tif 000002
【特許請求の範囲】
【請求項１】
無線通信可能な複数の機器のうち、無線通信を行う対象の特定の機器の表示部に表示された画像を捕捉する画像捕捉部と、
前記複数の機器のいずれかの機器から、前記画像捕捉部により捕捉された前記画像がその表示部に表示されていることを示す情報を無線通信により受信した場合に、当該機器を前記特定の機器と認定する処理部と
を備えたことを特徴とする機器認証装置。
【請求項２】
無線通信可能な複数の機器のうち、無線通信を行う対象の特定の機器の表示部に表示された画像を捕捉する画像捕捉部と、
前記複数の機器のいずれかの機器に対し、前記画像捕捉部により捕捉された前記画像をその表示部に表示させるための情報が無線通信により送信されている場合に、当該機器を前記特定の機器と認定する処理部と
を備えたことを特徴とする機器認証装置。
【請求項３】
無線通信可能な複数の機器のうち、無線通信を行う対象の特定の機器の表示部に表示された画像を捕捉する画像捕捉部と、
前記複数の機器のいずれかの機器から、前記画像捕捉部により捕捉された前記画像がその表示部に表示されていることを示す情報を無線通信により受信した場合に、当該機器を前記特定の機器と認定し、当該特定の機器と無線通信を行うことで画像データを取得する処理部と、
前記処理部により取得された前記画像データに基づいて画像出力を行う画像出力部と
を備えたことを特徴とする画像形成装置。
【請求項４】
無線通信可能な複数の機器のうち、無線通信を行う対象の特定の機器の表示部に表示された画像を捕捉する画像捕捉部と、
前記複数の機器のいずれかの機器に対し、前記画像捕捉部により捕捉された前記画像をその表示部に表示させるための情報が無線通信により送信されている場合に、当該機器を前記特定の機器と認定し、当該特定の機器と無線通信を行うことで画像データを取得する処理部と、
前記処理部により取得された前記画像データに基づいて画像出力を行う画像出力部と
を備えたことを特徴とする画像形成装置。
【請求項５】
前記処理部は、
前記特定の機器から無線通信により前記画像データを取得することを特徴とする請求項３又は４記載の画像形成装置。
【請求項６】
前記処理部は、
前記特定の機器から無線通信により前記画像データの所在を示す画像所在指示データを取得し、当該画像所在指示データに基づき前記画像データを取得することを特徴とする請求項３又は４記載の画像形成装置。
【請求項７】
前記処理部は、
前記特定の機器に記憶されたデータを無線通信により取得し、当該データが前記画像データであるか前記画像データの所在を示す画像所在指示データであるかを判定し、画像所在指示データである場合は、当該画像所在指示データに基づき前記画像データを取得することを特徴とする請求項３又は４記載の画像形成装置。
【請求項８】
無線通信可能な複数の機器のうち、無線通信を行う対象の特定の機器の表示部に表示された画像を、当該画像を捕捉した画像捕捉部から取得するステップと、
前記複数の機器のいずれかの機器から、取得された前記画像がその表示部に表示されていることを示す情報を無線通信により受信した場合に、当該機器を前記特定の機器と認定するステップと
を含むことを特徴とする機器認証方法。
【請求項９】
無線通信可能な複数の機器のいずれかの機器に対し、所定の画像を表示させるための情報を送信するステップと、
前記複数の機器のうち、無線通信を行う対象の特定の機器の表示部に表示された画像を、当該画像を捕捉した画像捕捉部から取得するステップと、
取得された前記画像が、送信された前記情報に基づき表示される画像と一致する場合に、当該情報の送信先の機器を前記特定の機器と認定するステップと
を含むことを特徴とする機器認証方法。
【請求項１０】
前記複数の機器から当該機器の状態に関する情報を取得するステップと、
前記複数の機器の中から、取得された前記状態に関する情報が予め定められた状態に関する情報と一致する機器を抽出し、当該抽出した機器を、前記所定の画像を表示させるための情報の送信先の機器に決定するステップと
を含むことを特徴とする請求項９記載の機器認証方法。
【請求項１１】
無線通信可能な複数の機器のうち、無線通信を行う対象の特定の機器の表示部に表示された画像を、当該画像を捕捉した画像捕捉部から取得するステップと、
前記複数の機器のうちのいずれかの機器から、取得された前記画像がその表示部に表示されていることを示す情報を無線通信により受信した場合に、当該機器を前記特定の機器と認定するステップと、
前記特定の機器と無線通信を行うことで画像データを取得するステップと、
取得された前記画像データに基づく印刷を指示するステップと
を含むことを特徴とする画像形成方法。
【請求項１２】
無線通信可能な複数の機器のいずれかの機器に対し、所定の画像を表示させるための情報を送信するステップと、
前記複数の機器のうち、無線通信を行う対象の特定の機器の表示部に表示された画像を、当該画像を捕捉した画像捕捉部から取得するステップと、
取得された前記画像が、送信された前記情報に基づき表示される画像と一致する場合に、当該情報の送信先の機器を前記特定の機器と認定するステップと、
前記特定の機器と無線通信を行うことで画像データを取得するステップと、
取得された前記画像データに基づく印刷を指示するステップと
を含むことを特徴とする画像形成方法。
【請求項１３】
前記複数の機器から当該機器の状態に関する情報を取得するステップと、
前記複数の機器の中から、取得された前記状態に関する情報が予め定められた状態に関する情報と一致する機器を抽出し、当該抽出した機器を、前記所定の画像を表示させるための情報の送信先の機器に決定するステップと
を含むことを特徴とする請求項１２記載の画像形成方法。
【請求項１４】
コンピュータに、
無線通信可能な複数の機器のうち、無線通信を行う対象の特定の機器の表示部に表示された画像を、当該画像を捕捉した画像捕捉部から取得する機能と、
前記複数の機器のいずれかの機器から、取得された前記画像がその表示部に表示されていることを示す情報を無線通信により受信した場合に、当該機器を前記特定の機器と認定する機能と
を実現させるためのプログラム。
【請求項１５】
コンピュータに、
無線通信可能な複数の機器のいずれかの機器に対し、所定の画像を表示させるための情報を送信する機能と、
前記複数の機器のうち、無線通信を行う対象の特定の機器の表示部に表示された画像を、当該画像を捕捉した画像捕捉部から取得する機能と、
取得された前記画像が、送信された前記情報に基づき表示される画像と一致する場合に、当該情報の送信先の機器を前記特定の機器と認定する機能と
を実現させるためのプログラム。
【請求項１６】
コンピュータに、
前記複数の機器から当該機器の状態に関する情報を取得する機能と、
前記複数の機器の中から、取得された前記状態に関する情報が予め定められた状態に関する情報と一致する機器を抽出し、当該抽出した機器を、前記所定の画像を表示させるための情報の送信先の機器に決定する機能と
を更に実現させるための請求項１５記載のプログラム。
【請求項１７】
コンピュータに、
前記認定する機能により認定された前記特定の機器と無線通信を行うことで画像データを取得する機能と、
取得された前記画像データに基づく印刷を指示する機能と
を更に実現させるための請求項１４又は１５記載のプログラム。
【発明の詳細な説明】
【技術分野】
【０００１】
本発明は、無線通信可能な複数の機器の中から無線通信を行う対象となる機器を特定するための機器認証装置等に関する。
【背景技術】
【０００２】
デジタルスチルカメラやカメラ付き携帯電話等の撮影機器で撮影した写真をプリント装置でプリントする場合、現状では、写真データが記録されたメディアを撮影機器から取り外してプリント装置に装着する方法や、撮影機器とプリント装置とをケーブルで接続する方法が主に用いられている。しかしながら、前者の方法では、メディアの取り外し、装着の操作が煩雑なのに加え、その操作の際にメディアが破損してしまう虞があるし、後者の方法では、ケーブルを持ち歩くことが必要となったり、ケーブルを接続する手間がかかったりしていた。
【０００３】
このような煩雑さを軽減するものとして、近年、赤外線通信、ブルートゥース(Bluetooth)、無線ＬＡＮ、ＵＷＢ(Ultra Wideband)等の無線通信手段が着目されている。即ち、撮影機器からプリント装置へ無線通信手段を用いて、写真を送信し、プリントしようというものである。
このうち、赤外線通信は、その指向性ゆえ、ＰｔｏＰ接続が実現でき、赤外線通信機能を備えた撮影機器がプリント装置の周囲に複数存在したとしても、プリント装置は、プリント要求を行った撮影機器を特定することができる。
【０００４】
ところが、ブルートゥース、無線ＬＡＮ、ＵＷＢ等を用いた場合は、同一の無線通信機能を有する撮影機器がプリント装置の周囲に複数存在する場合に、プリント装置は、通信相手を特定することができず、プリント要求を行った撮影機器以外の撮影機器を通信相手と判断してしまうということも起こり得る。
なお、このような問題は、撮影機器とプリント装置との間に限らず、如何なる機器の間においても起こりうる。
【０００５】
以上のような問題に対し、現段階では、両機器において何度かのキー操作やパスワードを入力させることで、機器の特定(認証)を可能とする方法が一般的である。
また、特定のシステムにおいては、パスワードを入力せずに機器を特定することを可能にする技術も提案されている(例えば、特許文献１参照。)。
【０００６】
【特許文献１】特開２００２−３３０１００号公報(第７−８頁、図２)
【発明の開示】
【発明が解決しようとする課題】
【０００７】
しかしながら、特許文献１の発明は、ハンズフリーシステムに特化した技術であり、そもそも音声の入力を行わないシステムに適用することはできない。
即ち、従来の技術においては、音声の入力を行わないようなシステムにおいて、特定の装置の周囲にその装置と無線通信可能な複数の機器が存在する場合に、特別な操作を行うことなく無線通信を行う対象の機器を特定できないという問題点があった。
【０００８】
本発明は、以上のような技術的課題を解決するためになされたものであって、その目的は、特定の装置の周囲にその装置と無線通信可能な複数の機器が存在する場合に、特別な操作を行うことなく、無線通信を行う対象の機器を特定できるようにすることにある。
【課題を解決するための手段】
【０００９】
かかる目的のもと、本発明は、携帯端末の表示部に表示された画像のキャプチャ結果と携帯端末から無線通信により取得した画像イメージとを照合するようにしている。即ち、本発明の第１の機器認証装置は、無線通信可能な複数の機器のうち、無線通信を行う対象の特定の機器の表示部に表示された画像を捕捉する画像捕捉部と、複数の機器のいずれかの機器から、画像捕捉部により捕捉された画像がその表示部に表示されていることを示す情報を無線通信により受信した場合に、その機器を特定の機器と認定する処理部とを備えている。
【００１０】
また、本発明は、携帯端末の表示部に表示された画像のキャプチャ結果と携帯端末に対して無線通信により送信しておいて認証画像のイメージとを照合するようにしている。即ち、本発明の第２の機器認証装置は、無線通信可能な複数の機器のうち、無線通信を行う対象の特定の機器の表示部に表示された画像を捕捉する画像捕捉部と、複数の機器のいずれかの機器に対し、画像捕捉部により捕捉された画像をその表示部に表示させるための情報が無線通信により送信されている場合に、その機器を特定の機器と認定する処理部とを備えている。
【００１１】
また、本発明は、認証された機器と無線通信を行うことにより画像形成を行う画像形成装置として捉えることもできる。その場合、本発明の第１の画像形成装置は、無線通信可能な複数の機器のうち、無線通信を行う対象の特定の機器の表示部に表示された画像を捕捉する画像捕捉部と、複数の機器のいずれかの機器から、画像捕捉部により捕捉された画像がその表示部に表示されていることを示す情報を無線通信により受信した場合に、その機器を特定の機器と認定し、その特定の機器と無線通信を行うことで画像データを取得する処理部と、この処理部により取得された画像データに基づいて画像出力を行う画像出力部とを備えている。また、本発明の第２の画像形成装置は、無線通信可能な複数の機器のうち、無線通信を行う対象の特定の機器の表示部に表示された画像を捕捉する画像捕捉部と、複数の機器のいずれかの機器に対し、画像捕捉部により捕捉された画像をその表示部に表示させるための情報が無線通信により送信されている場合に、その機器を特定の機器と認定し、その特定の機器と無線通信を行うことで画像データを取得する処理部と、この処理部により取得された画像データに基づいて画像出力を行う画像出力部とを備えている。
【００１２】
さらに、本発明は、無線通信可能な複数の機器の中から無線通信を行う対象の機器を特定する機器認証方法として捉えることもできる。その場合、本発明の第１の機器認証方法は、無線通信可能な複数の機器のうち、無線通信を行う対象の特定の機器の表示部に表示された画像を、その画像を捕捉した画像捕捉部から取得するステップと、複数の機器のいずれかの機器から、取得された画像がその表示部に表示されていることを示す情報を無線通信により受信した場合に、その機器を特定の機器と認定するステップとを含んでいる。また、本発明の第２の機器認証方法は、無線通信可能な複数の機器のいずれかの機器に対し、所定の画像を表示させるための情報を送信するステップと、複数の機器のうち、無線通信を行う対象の特定の機器の表示部に表示された画像を、その画像を捕捉した画像捕捉部から取得するステップと、取得された画像が、送信された情報に基づき表示される画像と一致する場合に、その情報の送信先の機器を特定の機器と認定するステップとを含んでいる。
【００１３】
さらにまた、本発明は、認証された機器と無線通信を行うことにより画像形成を行う画像形成方法として捉えることもできる。その場合、本発明の第１の画像形成方法は、無線通信可能な複数の機器のうち、無線通信を行う対象の特定の機器の表示部に表示された画像を、その画像を捕捉した画像捕捉部から取得するステップと、複数の機器のうちのいずれかの機器から、取得された画像がその表示部に表示されていることを示す情報を無線通信により受信した場合に、その機器を特定の機器と認定するステップと、特定の機器と無線通信を行うことで画像データを取得するステップと、取得された画像データに基づく印刷を指示するステップとを含んでいる。また、本発明の第２の画像形成方法は、無線通信可能な複数の機器のいずれかの機器に対し、所定の画像を表示させるための情報を送信するステップと、複数の機器のうち、無線通信を行う対象の特定の機器の表示部に表示された画像を、その画像を捕捉した画像捕捉部から取得するステップと、取得された画像が、送信された情報に基づき表示される画像と一致する場合に、その情報の送信先の機器を特定の機器と認定するステップと、特定の機器と無線通信を行うことで画像データを取得するステップと、取得された画像データに基づく印刷を指示するステップとを含んでいる。
【００１４】
一方、本発明は、コンピュータに機器認証機能または画像形成機能を実現させるためのコンピュータプログラムとして捉えることもできる。その場合、本発明の第１のプログラムは、コンピュータに、無線通信可能な複数の機器のうち、無線通信を行う対象の特定の機器の表示部に表示された画像を、その画像を捕捉した画像捕捉部から取得する機能と、複数の機器のいずれかの機器から、取得された画像がその表示部に表示されていることを示す情報を無線通信により受信した場合に、その機器を特定の機器と認定する機能とを実現させる。また、本発明の第２のプログラムは、コンピュータに、無線通信可能な複数の機器のいずれかの機器に対し、所定の画像を表示させるための情報を送信する機能と、複数の機器のうち、無線通信を行う対象の特定の機器の表示部に表示された画像を、その画像を捕捉した画像捕捉部から取得する機能と、取得された画像が、送信された情報に基づき表示される画像と一致する場合に、その情報の送信先の機器を特定の機器と認定する機能とを実現させる。
【発明の効果】
【００１５】
本発明によれば、特定の装置の周囲にその装置と無線通信可能な複数の機器が存在する場合に、特別な操作を行うことなく、無線通信を行う対象の機器を特定することが可能となる。
【発明を実施するための最良の形態】
【００１６】
以下、添付図面を参照して、本発明の実施の形態について詳細に説明する。
本発明の機器認証装置は、表示部を有し且つ無線通信機能を有する機器と、その表示部に表示された画像を捕捉(撮像部で撮像、画像入力部で読み取り等)する機能及びその機器と無線通信を行う機能を有する装置とからなるあらゆるシステムについて適用可能であるが、以下では、デジタルスチルカメラやカメラ付き携帯電話等の撮影装置と、プリンタ等の画像形成装置とからなるシステムについて適用した場合について詳細に述べる。
【００１７】
図１は、本発明の実施の形態における画像形成装置を含むネットワークシステムを示した図である。なお、本実施の形態では、画像形成装置として、コピー機能、プリンタ機能、ファックス機能、スキャナ機能を具備するマルチファンクション機(以下、「Ｍ/Ｆ機」という)を想定して説明を進める。
図１に示すように、ネットワークシステムは、複数のＭ/Ｆ機と、サーバコンピュータ(以下、「サーバ」という)と、パーソナルコンピュータ(以下、「ＰＣ」という)とが、場合によってはEthernet(富士ゼロックス株式会社の登録商標)を介して、公衆インターネット網に接続されている。また、各Ｍ/Ｆ機については、例えば、コンビニエンスストア等の店舗に設置されてサービスを提供することが多いため、そのような状況を図示している。さらに、店舗Ａにおいては、Ｍ/Ｆ機の周囲に、Ｍ/Ｆ機と無線通信可能な機器ａ、ｂ、ｃ、ｄが存在する様子が示されている。なお、これらの機器のうち、機器ａ、ｂ、ｃは、携帯電話であるため、電話回線網にも接続可能であることが示されている。
【００１８】
図２は、本発明の実施の形態における画像形成装置のハードウェア構成の一例を示したものである。この画像形成装置は、処理部１０と、画像入力部２０と、画像出力部３０と、撮像部４０と、ＵＩ部５０と、無線通信部６０と、記憶装置７０とから構成される。
【００１９】
処理部１０は、画像編集部(ESS:Electric Sub System)に対応し、画像入力部２０から入力され蓄積された画像データを処理する部分である。画像の縮小・拡大等の通常の画像形成装置における機能に加え、本実施の形態特有の機能をも有する。なお、この部分は、例えば、汎用的なＰＣによって実現することもできる。いずれにしても、図示しないが、中央処理装置(ＣＰＵ)、メインメモリ、これらを結合するバス等により構成される。
画像入力部(IIT:Image Input Terminal)２０は、例えば、スキャナを含む機構であり、プラテン上に配置された原稿を読み取り、画像上の二次元画像の濃淡と位置の情報を処理部１０に伝えるものである。
画像出力部(IOT:Image Output Terminal)３０は、例えば、プリンタを含む機構であり、処理部１０より伝えられる画像データに応じて、紙等の媒体上に画像を再生するものである。
撮像部４０は、例えば、カメラであり、カメラのレンズの前方に置かれた被写体を撮像する機能を有するものである。
ＵＩ部５０は、ユーザが情報の入出力を行うための操作部であり、例えば、タッチパネルディスプレイである。
無線通信部６０は、ブルートゥース、無線ＬＡＮ、ＵＷＢ等の無線通信手段を用いてデータ通信を行うためのアンテナ部分である。
記憶装置７０は、例えば、ハードディスクデバイス(ＨＤＤ)であり、処理部１０における各機能を実現するプログラムや、各機能実現のために必要となるデータの格納場所としても機能する。
【００２０】
本実施の形態は、画像形成装置の周囲にその画像形成装置と無線通信可能な複数の機器が存在する場合に、その複数の機器の中から、画像形成装置に対して画像形成を指示している機器を無線通信対象の機器として特定し、その機器と無線通信を行うことにより画像形成を行うものである。
以下、その具体的な実施の形態について述べる。なお、以下では、機器としては携帯端末を想定し、無線通信としてはブルートゥースを想定し、画像を捕捉する手段としてはカメラ等の撮像部を想定する。
【００２１】
（第１の実施の形態）
第１の実施の形態は、携帯端末内に記憶された画像データをブルートゥースにより画像形成装置に転送してその画像データに基づくプリントを行う際に、その携帯端末の特定を一次照合のみによって行う場合の実施の形態である。
【００２２】
まず、本実施の形態における処理部１０の機能構成について説明する。
図３は、処理部１０の機能構成を示したブロック図である。
図３に示すように、処理部１０は、撮像部４０が撮像した画像を取り込む画像取込部１０１と、無線通信部６０が受信した携帯端末の状態情報を取得する状態情報取得部１０２と、画像取込部１０１が取り込んだ画像と状態情報取得部１０２が取得した状態情報とを照合する一次照合部１０３と、一次照合で無線通信対象と認定された携帯端末から無線通信部６０が受信した画像データを取得するデータ取得部１０４と、その画像データに基づく印刷を画像出力部３０に対して指示する印刷指示部１０５とを備えている。
【００２３】
次に、本実施の形態における処理部１０の処理動作について説明する。
図４は、処理部１０の動作を示すフローチャートである。
ユーザが、携帯端末の表示部にプリントしたい画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１００１)と、撮像部４０を制御して、携帯端末の表示部に表示された画像のキャプチャを開始させ、画像取込部１０１が、キャプチャの結果である画像イメージを取り込む(ステップ１００２)。
【００２４】
一方、処理部１０は、無線通信部６０を制御して、周囲の携帯端末の端末状態を取得させる(ステップ１００３)。具体的には、無線通信部６０は、次のような処理を行う。即ち、まず、ＩＱ(Inquiry)パケットをブロードキャストし、これに応じて携帯端末から識別情報(機器アドレス)を含むＦＨＳ(Frequency Hop Synchronization)パケットが送信されると、それを受信する。その後、それらの携帯端末の１つを選択し、端末状態の送信を要求し、これに応じて携帯端末から端末状態の情報が送信されると、それを受信する。これにより、状態情報取得部１０２は、端末状態の情報を取得する。また、本実施の形態では、端末状態の情報には、携帯端末の表示部に現在表示している画像を特定するための情報(例えば、画像イメージ)が含まれるものとする。即ち、状態情報取得部１０２は、携帯端末の識別情報と、その携帯端末の表示部に表示された画像イメージとの対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００２５】
次に、一次照合部１０３は、ステップ１００３で受信した状態情報に含まれる画面イメージがステップ１００２で撮像され取り込まれた画像イメージと一致するかどうかを判定する(ステップ１００４)。ここで、一致すると判定されなかった場合は、別の携帯端末を選択し、再度、端末状態のリクエストを行う。一方、一致すると判定された場合は、その画像イメージに対応付けられた携帯端末の識別情報を取り出し、データ取得部１０４に伝える。
なお、複数の携帯端末に対するリクエストの順序については、特に限定はしないが、例えば、電波の強度の大きいものから先に選択するようにすれば、端末状態がキャプチャ画像と一致する携帯端末が見つかるまでの時間を短くすることができるので、無線通信対象の携帯端末の探索処理の効率化が図れる。
【００２６】
その後、データ取得部１０４は、無線通信部６０を制御して、一次照合部１０３から伝えられた識別情報に対応する携帯端末に対し、携帯端末に記憶されたデータのうち、表示部に表示されている画像データを取得するためのリクエストを送信させる。即ち、無線通信部６０は、撮像部４０により画像がキャプチャされた携帯端末の表示部に表示された画像に対応する画像データの送信をリクエストする。このリクエストに応じて携帯端末から画像データが送信され、無線通信部６０がその画像データを受信すると、データ取得部１０４が、その画像データを取得し(ステップ１００５)、印刷指示部１０５が、取得された画像データに基づくプリントを画像出力部３０に対して指示する(ステップ１００６)。
以上により、第１の実施の形態の動作は終了する。
【００２７】
なお、本実施の形態では、ステップ１００２で画像を撮像した携帯端末とステップ１００３で状態情報を受信した携帯端末とが同一の場合は、ステップ１００４における判断が必ず「ＹＥＳ」となるものと考えたが、ステップ１００２でのキャプチャの不具合、ステップ１００３での無線通信の不具合等により、必ずしもそのようにならないかもしれない。従って、ステップ１００４における判断が「ＮＯ」の場合に、選択すべき携帯端末が存在するかどうかを判定するステップを設け、選択すべき携帯端末が存在すれば、ステップ１００３に進み、選択すべき携帯端末がもはや存在しないようであれば、「携帯端末を特定することができません」等のメッセージを表示して処理を終了するようにしてもよい。
【００２８】
また、本実施の形態では、携帯端末の１つ１つに対し、ステップ１００３及び１００４の処理を行ったが、ステップ１００３では、全ての携帯端末から端末状態の情報を受信し、ステップ１００４では、それらの端末状態の情報の中からキャプチャ画像と一致するものを選択するようにしてもよい。
【００２９】
さらに、上記の説明では、ステップ１００２において撮像され取り込まれた画像イメージは、画像取込部１０１により保持され、ステップ１００３において受信され取得された携帯端末の識別情報及び状態情報の対応は、状態情報取得部１０２により保持される、といった記載に留めたが、これらの画像イメージ、携帯端末の識別情報及び状態情報の対応を、図示しない記憶装置に記憶するようにしてもよい。
【００３０】
このように、本実施の形態では、撮像部４０で撮像された画像イメージと無線通信により受信した端末状態に含まれる画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントする画像として用いることを可能としている。即ち、従来、携帯端末の認証後に改めてプリントしたい画像を指定する操作が必要であったが、本実施の形態では、Ｍ/Ｆ機の「スタート」ボタンを１度押下するだけで、プリントしたい画像の転送を「コピー感覚」で行えるようになっている。
但し、携帯端末の認証時に表示部に表示した画像はあくまで認証のための画像とし、その画像と異なる画像をプリントするようにしてもよい。その場合は、ステップ１００４において認証が完了すると、携帯端末に記憶された全ての画像データを取得し、それらをサムネイルで表示する等してユーザにプリントしたい画像を選択させるようにすればよい。
【００３１】
（第２の実施の形態）
第２の実施の形態は、携帯端末内に記憶された画像データをブルートゥースにより画像形成装置に転送してその画像データに基づくプリントを行う際に、その携帯端末の特定を一次照合及び二次照合によって行う場合の実施の形態である。上記第１の実施の形態では、画像形成装置の周囲にある各携帯端末からその表示部に表示された画像イメージを取得する必要があったが、本実施の形態では、画像イメージを取得しなくとも、携帯端末の特定が行える。
【００３２】
まず、本実施の形態における処理部１０の機能構成について説明する。
図５は、処理部１０の機能構成を示したブロック図である。
図５に示すように、処理部１０は、一次照合に用いる状態情報を保持する状態情報保持部１１１と、無線通信部６０が受信した携帯端末の状態情報を取得する状態情報取得部１１２と、状態情報保持部１１１に保持された状態情報と状態情報取得部１１２が取得した状態情報とを照合する一次照合部１１３と、一次照合で無線通信対象の候補と認定された携帯端末に認証コードを送信する認証コード送信部１１４と、撮像部４０が撮像した画像を取り込む画像取込部１１５と、画像取込部１１５が取り込んだ画像と認証コード送信部１１４が送信した認証コードとを照合する二次照合部１１６と、二次照合で無線通信対象と認定された携帯端末から無線通信部６０が受信した画像データを取得するデータ取得部１１７と、その画像データに基づく印刷を画像出力部３０に対して指示する印刷指示部１１８とを備えている。
【００３３】
次に、本実施の形態における処理部１０の処理動作について説明する。
図６は、処理部１０の動作を示すフローチャートである。
ユーザが、携帯端末の表示部にプリントしたい画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１１０１)と、無線通信部６０を制御して、周囲の携帯端末の端末状態を取得させる(ステップ１１０２)。具体的には、無線通信部６０は、次のような処理を行う。即ち、まず、ＩＱパケットをブロードキャストし、これに応じて携帯端末から識別情報(機器アドレス)を含むＦＨＳパケットが送信されると、それを受信する。その後、それらの携帯端末の１つを選択し、端末状態の送信を要求し、これに応じて携帯端末から端末状態の情報が送信されると、それを受信する。これにより、状態情報取得部１１２は、端末状態の情報を取得する。即ち、状態情報取得部１１２は、携帯端末の識別情報と、その携帯端末の端末状態の情報との対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００３４】
次に、一次照合部１１３は、ステップ１１０２で受信した状態情報が状態情報保持部１１１に保持された状態情報と一致するかどうかを判断する(ステップ１１０３)。なお、本実施の形態では、画像形成装置は、携帯端末から画像データを取得し、その画像データに基づくプリントを行うものとしてセットアップされているため、状態情報保持部１１１には、「何らかの画像を表示している」という状態情報が記憶されており、ステップ１１０３での判断は、受信した状態情報が「何らかの画像を表示している」ことを示す情報であるかどうかという判断になる。即ち、受信した状態情報が「何らかの画像を表示している」ことを示すものでない場合は、別の携帯端末を選択し、再度、端末状態のリクエストを行う。一方、受信した状態情報が「何らかの画像を表示している」ことを示すものである場合は、無線通信を行う候補としてその携帯端末の識別情報を図示しないメモリに登録し(ステップ１１０４)、別の携帯端末があるかどうかを判定し(ステップ１１０５)、別の携帯端末があれば、その携帯端末を選択して、ステップ１１０２〜１１０４の処理を繰り返す。一方、別の携帯端末がなければ、無線通信を行う候補としてこれまでに蓄積した携帯端末の識別情報を認証コード送信部１１４に伝える。
【００３５】
次に、認証コード送信部１１４は、携帯端末の識別情報の中から１つを選択し、ランダムに発生させた認証コードをその識別情報に対応する携帯端末に送出する(ステップ１１０６)。これにより、その携帯端末の表示部には、例えば、図７に示すような認証画像が表示される。また、この時、認証コードは、二次照合部１１６に対しても伝えておく。
一方、処理部１０は、撮像部４０を制御して、携帯端末の表示部に表示された認証画像のキャプチャを開始させ、画像取込部１１５が、キャプチャの結果である画像イメージを取り込む(ステップ１１０７)。
【００３６】
そして、二次照合部１１６は、ステップ１１０６で撮像され取り込まれた画像イメージが認証コード送信部１１４から伝えられた認証コードに基づき表示される認証画像のイメージと一致するかどうかを判定する(ステップ１１０８)。ここで、一致すると判定されなかった場合は、別の携帯端末を選択し、再度、認証コードの送出を行う。一方、一致すると判定された場合は、その画像イメージに対応付けられた携帯端末の識別情報を取り出し、データ取得部１１７に伝える。
なお、複数の携帯端末に対する認証コード送出の順序については、特に限定はしないが、例えば、電波の強度の大きいものから先に選択するようにすれば、認証コードに対応する画像がキャプチャ画像と一致する携帯端末が見つかるまでの時間を短くすることができるので、無線通信対象の携帯端末の探索処理の効率化が図れる。
【００３７】
その後、データ取得部１１７は、無線通信部６０を制御して、二次照合部１１６から伝えられた識別情報に対応する携帯端末に対し、携帯端末に記憶されたデータのうち、表示部に表示されている画像データを取得するためのリクエストを送信させる。即ち、無線通信部６０は、撮像部４０により画像がキャプチャされた携帯端末の表示部に表示された画像に対応する画像データの送信をリクエストする。このリクエストに応じて携帯端末から画像データが送信され、無線通信部６０がその画像データを受信すると、データ取得部１１７が、その画像データを取得し(ステップ１１０９)、印刷指示部１１８が、取得された画像データに基づくプリントを画像出力部３０に対して指示する(ステップ１１１０)。
以上により、第２の実施の形態の動作は終了する。
【００３８】
なお、本実施の形態では、ステップ１１０６で認証コードを送出した携帯端末とステップ１１０７で画像を撮像した携帯端末とが同一の場合は、ステップ１１０８における判断が必ず「ＹＥＳ」となるものと考えたが、ステップ１１０７でのキャプチャの不具合等により、必ずしもそのようにならないかもしれない。従って、ステップ１１０８における判断が「ＮＯ」の場合に、選択すべき携帯端末が存在するかどうかを判定するステップを設け、選択すべき携帯端末が存在すれば、ステップ１１０６に進み、選択すべき携帯端末がもはや存在しないようであれば、「携帯端末を特定することができません」等のメッセージを表示して処理を終了するようにしてもよい。
【００３９】
また、本実施の形態では、携帯端末の１つ１つに対し、ステップ１１０２〜１１０４の処理を行ったが、ステップ１１０２では、全ての携帯端末から端末状態の情報を受信し、ステップ１１０３及び１１０４では、それらの端末状態の情報の中から画像を表示しているものを抽出するようにしてもよい。
【００４０】
さらに、上記の説明では、ステップ１１０２において受信され取得された携帯端末の識別情報及び状態情報の対応は、状態情報取得部１１２により保持される、といった記載に留めたが、これらの携帯端末の識別情報及び状態情報の対応を、図示しない記憶装置に記憶するようにしてもよい。
【００４１】
このように、本実施の形態では、無線通信により受信した端末状態により無線通信を行う対象の候補を絞り込んだ上で、送出した認証コードにより表示される画像イメージと撮像部４０で撮像した画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントする画像として用いることを可能としている。即ち、従来、携帯端末の認証後に改めてプリントしたい画像を指定する操作が必要であったが、本実施の形態では、Ｍ/Ｆ機の「スタート」ボタンを１度押下するだけで、プリントしたい画像の転送を「コピー感覚」で行えるようになっている。
但し、携帯端末の認証時に表示部に表示した画像と異なる画像をプリントするようにしてもよい。その場合は、ステップ１１０８において認証が完了すると、携帯端末に記憶された全ての画像データを取得し、それらをサムネイルで表示する等してユーザにプリントしたい画像を選択させるようにすればよい。
【００４２】
また、本実施の形態の第一の変形例として、ステップ１１０２〜１１０５を、第１の実施の形態にあるような、携帯端末の表示部に表示された画像をキャプチャして得られる画像イメージと携帯端末から無線通信により受信した端末状態の情報に含まれる画像イメージとの照合処理によって置き換えたものも考えられる。そうすることにより、一致度が所定の基準以上のものを無線通信を行う候補として認証コード送信部１１４に伝えて二次照合を行うことにより、無線通信を行う対象の携帯端末の特定をより正確に行うことができる。
さらに、本実施の形態の第二の変形例として、ステップ１１０２〜１１０５の照合処理を行わず、ステップ１１０６〜１１０８の照合処理のみを行うようにしたものも考えられる。
【００４３】
（第３の実施の形態）
第３の実施の形態は、携帯端末内に記憶された画像所在指示データをブルートゥースにより画像形成装置に転送してその画像所在指示データが示す位置から画像データをダウンロードしてプリントを行う際に、その携帯端末の特定を一次照合のみによって行う場合の実施の形態である。
ここで、画像所在指示データとは、画像データの所在を示す情報(ＵＲＬ等)を含むデータのことである。例えば、ユーザがサーバの所定の位置に何らかのデータを登録した際に、その登録が完了した旨及びその登録されたデータの所在に関する情報を含む電子メールが携帯端末に対して発信されることがあるが、このような電子メールが画像所在指示データに該当する。従って、本実施の形態では、画像所在指示データとしてそのような電子メールを想定して説明する。
【００４４】
まず、本実施の形態における処理部１０の機能構成について説明する。
図８は、処理部１０の機能構成を示したブロック図である。
図８に示すように、処理部１０は、撮像部４０が撮像した画像を取り込む画像取込部１２１と、無線通信部６０が受信した携帯端末の状態情報を取得する状態情報取得部１２２と、画像取込部１２１が取り込んだ画像と状態情報取得部１２２が取得した状態情報とを照合する一次照合部１２３と、一次照合で無線通信対象と認定された携帯端末から無線通信部６０が受信した画像所在指示データを取得するデータ取得部１２４と、その画像所在指示データが示す位置から画像データを取得する画像取得部１２５と、その画像データに基づく印刷を画像出力部３０に対して指示する印刷指示部１２６とを備えている。
【００４５】
次に、本実施の形態における処理部１０の処理動作について説明する。
図９は、処理部１０の動作を示すフローチャートである。
ユーザが、携帯端末の表示部にプリントしたい画像の所在情報を含む画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１２０１)と、撮像部４０を制御して、携帯端末の表示部に表示された画像のキャプチャを開始させ、画像取込部１２１が、キャプチャの結果である画像イメージを取り込む(ステップ１２０２)。
【００４６】
一方、処理部１０は、無線通信部６０を制御して、周囲の携帯端末の端末状態を取得させる(ステップ１２０３)。具体的には、無線通信部６０は、次のような処理を行う。即ち、まず、ＩＱパケットをブロードキャストし、これに応じて携帯端末から識別情報(機器アドレス)を含むＦＨＳパケットが送信されると、それを受信する。その後、それらの携帯端末の１つを選択し、端末状態の送信を要求し、これに応じて携帯端末から端末状態の情報が送信されると、それを受信する。これにより、状態情報取得部１２２は、端末状態の情報を取得する。また、本実施の形態では、端末状態の情報には、携帯端末の表示部に現在表示している画像を特定するための情報(例えば、画像イメージ)が含まれるものとする。即ち、状態情報取得部１２２は、携帯端末の識別情報と、その携帯端末の表示部に表示された画像イメージとの対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００４７】
次に、一次照合部１２３は、ステップ１２０３で受信した状態情報に含まれる画面イメージがステップ１２０２で撮像され取り込まれた画像イメージと一致するかどうかを判断する(ステップ１２０４)。ここで、一致すると判断されなかった場合は、別の携帯端末を選択し、再度、端末状態のリクエストを行う。一方、一致すると判定された場合は、その画像イメージに対応付けられた携帯端末の識別情報を取り出し、データ取得部１２４に伝える。
なお、複数の携帯端末に対するリクエストの順序については、特に限定はしないが、例えば、電波の強度の大きいものから先に選択するようにすれば、端末状態がキャプチャ画像と一致する携帯端末が見つかるまでの時間を短くすることができるので、無線通信対象の携帯端末の探索処理の効率化が図れる。
【００４８】
その後、データ取得部１２４は、無線通信部６０を制御して、一次照合部１２３から伝えられた識別情報に対応する携帯端末に対し、携帯端末に記憶されたデータのうち、表示部に表示されている画像所在指示データを取得するためのリクエストを送信させる。即ち、無線通信部６０は、撮像部４０により画像がキャプチャされた携帯端末の表示部に表示された画像に対応する画像所在指示データの送信をリクエストする。このリクエストに応じて携帯端末から画像所在指示データが送信され、無線通信部６０がその画像所在指示データを受信すると、データ取得部１２４が、その画像所在指示データを取得する(ステップ１２０５)。そして、画像取得部１２５が、画像所在指示データが示す位置から画像データを取得し(ステップ１２０６)、印刷指示部１２６が、取得された画像データに基づくプリントを画像出力部３０に対して指示する(ステップ１２０７)。
以上により、第３の実施の形態の動作は終了する。
【００４９】
なお、本実施の形態では、ステップ１２０２で画像を撮像した携帯端末とステップ１２０３で状態情報を受信した携帯端末とが同一の場合は、ステップ１２０４における判断が必ず「ＹＥＳ」となるものと考えたが、ステップ１２０２でのキャプチャの不具合、ステップ１２０３での無線通信の不具合等により、必ずしもそのようにならないかもしれない。従って、ステップ１２０４における判断が「ＮＯ」の場合に、選択すべき携帯端末が存在するかどうかを判定するステップを設け、選択すべき携帯端末が存在すれば、ステップ１２０３に進み、選択すべき携帯端末がもはや存在しないようであれば、「携帯端末を特定することができません」等のメッセージを表示して処理を終了するようにしてもよい。
【００５０】
また、本実施の形態では、携帯端末の１つ１つに対し、ステップ１２０３及び１２０４の処理を行ったが、ステップ１２０３では、全ての携帯端末から端末状態の情報を受信し、ステップ１２０４では、それらの端末状態の情報の中からキャプチャ画像と一致するものを選択するようにしてもよい。
【００５１】
さらに、上記の説明では、ステップ１２０２において撮像され取り込まれた画像イメージは、画像取込部１２１により保持され、ステップ１２０３において受信され取得された携帯端末の識別情報及び状態情報の対応は、状態情報取得部１２２により保持される、といった記載に留めたが、これらの画像イメージ、携帯端末の識別情報及び状態情報の対応を、図示しない記憶装置に記憶するようにしてもよい。
【００５２】
このように、本実施の形態では、撮像部４０で撮像された画像イメージと無線通信により受信した端末状態に含まれる画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントしたい画像の所在を示す情報として用いることを可能としている。特に、プリントしたい画像の所在を示す情報が画像上には表示されず、画像をデータとして解析してみなければ分からないような場合に、本実施の形態は有効である。
但し、携帯端末の認証時に表示部に表示した画像はあくまで認証のための画像とし、その画像と異なる画像が示す位置にある画像をプリントするようにしてもよい。その場合は、ステップ１２０４において認証が完了すると、携帯端末に記憶された全ての画像所在指示データを取得し、それらをサムネイルで表示する等してユーザにプリントしたい画像の所在情報を含む画像を選択させるようにすればよい。
【００５３】
（第４の実施の形態）
第４の実施の形態は、携帯端末内に記憶された画像所在指示データをブルートゥースにより画像形成装置に転送してその画像所在指示データが示す位置から画像データをダウンロードしてプリントを行う際に、その携帯端末の特定を一次照合及び二次照合によって行う場合の実施の形態である。
なお、本実施の形態においても、画像所在指示データとしては、ユーザがサーバの所定の位置に何らかのデータを登録した際に発信される、その登録が完了した旨及びその登録されたデータの所在に関する情報を含む電子メールを想定する。
【００５４】
まず、本実施の形態における処理部１０の機能構成について説明する。
図１０は、処理部１０の機能構成を示したブロック図である。
図１０に示すように、処理部１０は、一次照合に用いる状態情報を保持する状態情報保持部１３１と、無線通信部６０が受信した携帯端末の状態情報を取得する状態情報取得部１３２と、状態情報保持部１３１に保持された状態情報と状態情報取得部１３２が取得した状態情報とを照合する一次照合部１３３と、一次照合で無線通信対象の候補と認定された携帯端末に認証コードを送信する認証コード送信部１３４と、撮像部４０が撮像した画像を取り込む画像取込部１３５と、画像取込部１３５が取り込んだ画像と認証コード送信部１３４が送信した認証コードとを照合する二次照合部１３６と、二次照合で無線通信対象と認定された携帯端末から無線通信部６０が受信した画像所在指示データを取得するデータ取得部１３７と、その画像所在指示データが示す位置から画像データを取得する画像取得部１３８と、その画像データに基づく印刷を画像出力部３０に対して指示する印刷指示部１３９とを備えている。
【００５５】
次に、本実施の形態における処理部１０の処理動作について説明する。
図１１は、処理部１０の動作を示すフローチャートである。
ユーザが、携帯端末の表示部にプリントしたい画像の所在情報を含む画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１３０１)と、無線通信部６０を制御して、周囲の携帯端末の端末状態を取得させる(ステップ１３０２)。具体的には、無線通信部６０は、次のような処理を行う。即ち、まず、ＩＱパケットをブロードキャストし、これに応じて携帯端末から識別情報(機器アドレス)を含むＦＨＳパケットが送信されると、それを受信する。その後、それらの携帯端末の１つを選択し、端末状態の送信を要求し、これに応じて携帯端末から端末状態の情報が送信されると、それを受信する。これにより、状態情報取得部１３２は、端末状態の情報を取得する。即ち、状態情報取得部１３２は、携帯端末の識別情報と、その携帯端末の端末状態の情報との対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００５６】
次に、一次照合部１３３は、ステップ１３０２で受信した状態情報が状態情報保持部１３１に保持された状態情報と一致するかどうかを判断する(ステップ１３０３)。なお、本実施の形態では、画像形成装置は、携帯端末から画像所在指示データとして電子メールを取得し、その電子メールが示す位置にある画像データに基づくプリントを行うものとしてセットアップされているため、状態情報保持部１３１には、「何らかの電子メールを表示している」という状態情報が記憶されており、ステップ１３０３での判断は、受信した状態情報が「何らかの電子メールを表示している」ことを示す情報であるかどうかという判断になる。即ち、受信した状態情報が「何らかの電子メールを表示している」ことを示すものでない場合は、別の携帯端末を選択し、再度、端末状態のリクエストを行う。一方、受信した状態情報が「何らかの電子メールを表示している」ことを示すものである場合は、無線通信を行う候補としてその携帯端末の識別情報を図示しないメモリに登録し(ステップ１３０４)、別の携帯端末があるかどうかを判定し(ステップ１３０５)、別の携帯端末があれば、その携帯端末を選択して、ステップ１３０２〜１３０４の処理を繰り返す。一方、別の携帯端末がなければ、無線通信を行う候補としてこれまでに蓄積した携帯端末の識別情報の識別情報を認証コード送信部１３４に伝える。
【００５７】
次に、認証コード送信部１３４は、携帯端末の識別情報の中から１つを選択し、ランダムに発生させた認証コードをその携帯端末に送出する(ステップ１３０６)。これにより、その携帯端末の表示部には、例えば、図７に示すような認証画像が表示される。また、この時、認証コードは、二次照合部１３６に対しても伝えておく。
一方、処理部１０は、撮像部４０を制御して、携帯端末の表示部に表示された画像のキャプチャを開始させ、画像取込部１３５が、キャプチャの結果である画像イメージを取り込む(ステップ１３０７)。
【００５８】
そして、二次照合部１３６は、ステップ１３０６で撮像され取り込まれた画像イメージが認証コード送信部１３４から伝えられた認証コードに基づき表示される認証画像のイメージと一致するかどうかを判定する(ステップ１３０８)。ここで、一致すると判定されなかった場合は、別の携帯端末を選択し、再度、認証コードの送出を行う。一方、一致すると判定された場合は、その画像イメージに対応付けられた携帯端末の識別情報を取り出し、データ取得部１３７に伝える。
なお、複数の携帯端末に対する認証コード送出の順序については、特に限定はしないが、例えば、電波の強度の大きいものから先に選択するようにすれば、認証コードに対応する画像がキャプチャ画像と一致する携帯端末が見つかるまでの時間を短くすることができるので、無線通信対象の携帯端末の探索処理の効率化が図れる。
【００５９】
その後、データ取得部１３７は、無線通信部６０を制御して、二次照合部１３６から伝えられた識別情報に対応する携帯端末に対し、携帯端末に記憶されたデータのうち、表示部に表示されている画像所在指示データを取得するためのリクエストを送信させる。即ち、無線通信部６０は、撮像部４０により画像がキャプチャされた携帯端末の表示部に表示された画像に対応する画像所在指示データの送信をリクエストする。このリクエストに応じて携帯端末から画像所在指示データが送信され、無線通信部６０がその画像所在指示データを受信すると、データ取得部１３７が、その画像所在指示データを取得する(ステップ１３０９)。そして、画像取得部１３８が、画像所在指示データが示す位置から画像データを取得し(ステップ１３１０)、印刷指示部１３９が、取得された画像データに基づくプリントを画像出力部３０に対して指示する(ステップ１３１１)。
以上により、第４の実施の形態の動作は終了する。
【００６０】
なお、本実施の形態では、ステップ１３０６で認証コードを送出した携帯端末とステップ１３０７で画像を撮像した携帯端末とが同一の場合は、ステップ１３０８における判断が必ず「ＹＥＳ」となるものと考えたが、ステップ１３０７でのキャプチャの不具合等により、必ずしもそのようにならないかもしれない。従って、ステップ１３０８における判断が「ＮＯ」の場合に、選択すべき携帯端末が存在するかどうかを判定するステップを設け、選択すべき携帯端末が存在すれば、ステップ１３０６に進み、選択すべき携帯端末がもはや存在しないようであれば、「携帯端末を特定することができません」等のメッセージを表示して処理を終了するようにしてもよい。
【００６１】
また、本実施の形態では、携帯端末の１つ１つに対し、ステップ１３０２〜１３０４の処理を行ったが、ステップ１３０２では、全ての携帯端末から端末状態の情報を受信し、ステップ１３０３及び１３０４では、それらの端末状態の情報の中から画像を表示しているものを抽出するようにしてもよい。
【００６２】
さらに、上記の説明では、ステップ１３０２において受信され取得された携帯端末の識別情報及び状態情報の対応は、状態情報取得部１３２により保持される、といった記載に留めたが、これらの携帯端末の識別情報及び状態情報の対応を、図示しない記憶装置に記憶するようにしてもよい。
【００６３】
また、本実施の形態におけるステップ１３０２〜１３０５は、第１の実施の形態のように、携帯端末の表示部に表示された画像をキャプチャして得られる画像イメージと携帯端末から無線通信により受信した端末状態の情報に含まれる画像イメージとの照合を行うようにしてもよい。その場合、一致度が所定の基準以上のものを無線通信を行う候補として認証コード送信部１３４に伝えて二次照合を行うことにより、無線通信を行う対象の携帯端末の特定をより正確に行うことができる。
【００６４】
このように、本実施の形態では、無線通信により受信した端末状態により無線通信を行う対象の候補を絞り込んだ上で、送出した認証コードにより表示される画像イメージと撮像部４０で撮像した画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントしたい画像の所在を示す情報として用いることを可能としている。特に、プリントしたい画像の所在を示す情報が画像上には表示されず、画像をデータとして解析してみなければ分からないような場合に、本実施の形態は有効である。
但し、携帯端末の認証時に表示部に表示した画像と異なる画像が示す位置にある画像をプリントするようにしてもよい。その場合は、ステップ１３０８において認証が完了すると、携帯端末に記憶された全ての画像所在指示データを取得し、それらをサムネイルで表示する等してユーザにプリントしたい画像の所在情報を含む画像を選択させるようにすればよい。
【００６５】
また、本実施の形態の第一の変形例として、ステップ１３０２〜１３０５を、第３の実施の形態にあるような、携帯端末の表示部に表示された画像をキャプチャして得られる画像イメージと携帯端末から無線通信により受信した端末状態の情報に含まれる画像イメージとの照合処理によって置き換えたものも考えられる。そうすることにより、一致度が所定の基準以上のものを無線通信を行う候補として認証コード送信部１３４に伝えて二次照合を行うことにより、無線通信を行う対象の携帯端末の特定をより正確に行うことができる。
さらに、本実施の形態の第二の変形例として、ステップ１３０２〜１３０５の照合処理を行わず、ステップ１３０６〜１３０８の照合処理のみを行うようにしたものも考えられる。
【００６６】
（第５の実施の形態）
第５の実施の形態は、携帯端末内に記憶されたデータをブルートゥースにより画像形成装置に転送して、そのデータが画像データであればその画像データに基づくプリントを行い、そのデータが画像所在指示データであれば、その画像所在指示データが示す位置から画像データをダウンロードしてプリントを行う際に、その携帯端末の特定を一次照合のみによって行う場合の実施の形態である。
なお、本実施の形態においても、画像所在指示データとしては、ユーザがサーバの所定の位置に何らかのデータを登録した際に発信される、その登録が完了した旨及びその登録されたデータの所在に関する情報を含む電子メールを想定する。
【００６７】
まず、本実施の形態における処理部１０の機能構成について説明する。
図１２は、処理部１０の機能構成を示したブロック図である。
図１２に示すように、処理部１０は、撮像部４０が撮像した画像を取り込む画像取込部１４１と、無線通信部６０が受信した携帯端末の状態情報を取得する状態情報取得部１４２と、画像取込部１４１が取り込んだ画像と状態情報取得部１４２が取得した状態情報とを照合する一次照合部１４３と、一次照合で無線通信対象と認定された携帯端末から無線通信部６０が受信したデータを取得するデータ取得部１４４と、取得したデータが画像データであるか画像所在指示データであるかを判定するデータ種別判定部１４５と、そのデータが画像所在指示データであった場合にその画像所在指示データが示す位置から画像データを取得する画像取得部１４６と、データ取得部１４４または画像取得部１４６が取得した画像データに基づく印刷を画像出力部３０に対して指示する印刷指示部１４７とを備えている。
【００６８】
次に、本実施の形態における処理部１０の処理動作について説明する。
図１３は、処理部１０の動作を示すフローチャートである。
ユーザが、携帯端末の表示部にプリントしたい画像またはプリントしたい画像の所在情報を含む画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１４０１)と、撮像部４０を制御して、携帯端末の表示部に表示された画像のキャプチャを開始させ、画像取込部１４１が、キャプチャの結果である画像イメージを取り込む(ステップ１４０２)。
【００６９】
一方、処理部１０は、無線通信部６０を制御して、周囲の携帯端末の端末状態を取得させる(ステップ１４０３)。具体的には、無線通信部６０は、次のような処理を行う。即ち、まず、ＩＱパケットをブロードキャストし、これに応じて携帯端末から識別情報(機器アドレス)を含むＦＨＳパケットが送信されると、それを受信する。その後、それらの携帯端末の１つを選択し、端末状態の送信を要求し、これに応じて携帯端末から端末状態の情報が送信されると、それを受信する。これにより、状態情報取得部１４２は、端末状態の情報を取得する。また、本実施の形態では、端末状態の情報には、携帯端末の表示部に現在表示している画像を特定するための情報(例えば、画像イメージ)が含まれるものとする。即ち、状態情報取得部１４２は、携帯端末の識別情報と、その携帯端末の表示部に表示された画像イメージとの対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００７０】
次に、一次照合部１４３は、ステップ１４０３で受信した状態情報に含まれる画面イメージがステップ１４０２で撮像され取り込まれた画像イメージと一致するかどうかを判断する(ステップ１４０４)。ここで、一致すると判断されなかった場合は、別の携帯端末を選択し、再度、端末状態のリクエストを行う。一方、一致すると判定された場合は、その画像イメージに対応付けられた携帯端末の識別情報を取り出し、データ取得部１４４に伝える。
なお、複数の携帯端末に対するリクエストの順序については、特に限定はしないが、例えば、電波の強度の大きいものから先に選択するようにすれば、端末状態がキャプチャ画像と一致する携帯端末が見つかるまでの時間を短くすることができるので、無線通信対象の携帯端末の探索処理の効率化が図れる。
【００７１】
その後、データ取得部１４４は、無線通信部６０を制御して、一次照合部１４３から伝えられた識別情報に対応する携帯端末に対し、携帯端末に記憶されたデータのうち、表示部に表示されているデータを取得するためのリクエストを送信させる。即ち、無線通信部６０は、撮像部４０により画像がキャプチャされた携帯端末の表示部に表示された画像に対応するデータの送信をリクエストする。このリクエストに応じて携帯端末からデータが送信され、無線通信部６０がそのデータを受信すると、データ取得部１４４が、そのデータを取得する(ステップ１４０５)。そして、データ種別判定部１４５が、そのデータが画像データそのものなのか、画像データの所在を示す画像所在指示データなのかを判定する(ステップ１４０６)。具体的には、そのデータに画像データの所在を示す情報(例えば、ＵＲＬ)と判断できる文字列が含まれている場合には画像所在指示データと判定し、それ以外は画像データと判定することができる。また、この判定処理にて画像データか画像所在指示データかが判定できない場合は、ユーザに問い合わせるようにしてもよい。
【００７２】
ここで、画像データであると判定された場合は、そのデータを印刷データとして設定し(ステップ１４０７)、画像所在指示データであると判定された場合は、画像取得部１４６が、その画像所在指示データが示す位置から画像データを取得し、その画像データを印刷データとして設定する(ステップ１４０８)。そして、印刷指示部１４７が、印刷データに基づくプリントを画像出力部３０に対して指示する(ステップ１４０９)。
以上により、第５の実施の形態の動作は終了する。
【００７３】
なお、本実施の形態では、ステップ１４０２で画像を撮像した携帯端末とステップ１４０３で状態情報を受信した携帯端末とが同一の場合は、ステップ１４０４における判断が必ず「ＹＥＳ」となるものと考えたが、ステップ１４０２でのキャプチャの不具合、ステップ１４０３での無線通信の不具合等により、必ずしもそのようにならないかもしれない。従って、ステップ１４０４における判断が「ＮＯ」の場合に、選択すべき携帯端末が存在するかどうかを判定するステップを設け、選択すべき携帯端末が存在すれば、ステップ１４０３に進み、選択すべき携帯端末がもはや存在しないようであれば、「携帯端末を特定することができません」等のメッセージを表示して処理を終了するようにしてもよい。
【００７４】
また、本実施の形態では、携帯端末の１つ１つに対し、ステップ１４０３及び１４０４の処理を行ったが、ステップ１４０３では、全ての携帯端末から端末状態の情報を受信し、ステップ１４０４では、それらの端末状態の情報の中からキャプチャ画像と一致するものを選択するようにしてもよい。
【００７５】
さらに、上記の説明では、ステップ１４０２において撮像され取り込まれた画像イメージは、画像取込部１４１により保持され、ステップ１４０３において受信され取得された携帯端末の識別情報及び状態情報の対応は、状態情報取得部１４２により保持される、といった記載に留めたが、これらの画像イメージ、携帯端末の識別情報及び状態情報の対応を、図示しない記憶装置に記憶するようにしてもよい。
【００７６】
このように、本実施の形態では、撮像部４０で撮像された画像イメージと無線通信により受信した端末状態に含まれる画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントする画像として用いることや、プリントしたい画像の所在を示す情報として用いることを可能としている。
但し、携帯端末の認証時に表示部に表示した画像はあくまで認証のための画像とし、その画像と異なる画像またはその画像と異なる画像が示す位置にある画像をプリントするようにしてもよい。その場合は、ステップ１４０４において認証が完了すると、携帯端末に記憶された全ての画像データまたは画像所在指示データを取得し、それらをサムネイルで表示する等してユーザにプリントしたい画像またはプリントしたい画像の所在情報を含む画像を選択させるようにすればよい。
【００７７】
（第６の実施の形態）
第６の実施の形態は、携帯端末内に記憶されたデータをブルートゥースにより画像形成装置に転送して、そのデータが画像データであればその画像データに基づくプリントを行い、そのデータが画像所在指示データであれば、その画像所在指示データが示す位置から画像データをダウンロードしてプリントを行う際に、その携帯端末の特定を一次照合及び二次照合によって行う場合の実施の形態である。上記第５の実施の形態では、画像形成装置の周囲にある各携帯端末からその表示部に表示された画像イメージを取得する必要があったが、本実施の形態では、画像イメージを取得しなくとも、携帯端末の特定が行える。
なお、本実施の形態においても、画像所在指示データとしては、ユーザがサーバの所定の位置に何らかのデータを登録した際に発信される、その登録が完了した旨及びその登録されたデータの所在に関する情報を含む電子メールを想定する。
【００７８】
まず、本実施の形態における処理部１０の機能構成について説明する。
図１４は、処理部１０の機能構成を示したブロック図である。
図１４に示すように、処理部１０は、一次照合に用いる状態情報を保持する状態情報保持部１５１と、無線通信部６０が受信した携帯端末の状態情報を取得する状態情報取得部１５２と、状態情報保持部１５１に保持された状態情報と状態情報取得部１５２が取得した状態情報とを照合する一次照合部１５３と、一次照合で無線通信対象の候補と認定された携帯端末に認証コードを送信する認証コード送信部１５４と、撮像部４０が撮像した画像を取り込む画像取込部１５５と、画像取込部１５５が取り込んだ画像と認証コード送信部１５４が送信した認証コードとを照合する二次照合部１５６と、二次照合で無線通信対象と認定された携帯端末から無線通信部６０が受信したデータを取得するデータ取得部１５７と、取得したデータが画像データであるか画像所在指示データであるかを判定するデータ種別判定部１５８と、そのデータが画像所在指示データであった場合にその画像所在指示データが示す位置から画像データを取得する画像取得部１５９と、データ取得部１５７または画像取得部１５９が取得した画像データに基づく印刷を画像出力部３０に対して指示する印刷指示部１６０とを備えている。
【００７９】
次に、本実施の形態における処理部１０の処理動作について説明する。
図１５は、処理部１０の動作を示すフローチャートである。
ユーザが、携帯端末の表示部にプリントしたい画像またはプリントしたい画像の所在情報を含む画像を表示させて、撮像部４０により撮像可能な位置に配置し、画像形成装置の「スタート」ボタンを押下することにより、この処理は開始される。
処理部１０は、「スタート」ボタンが押下されたことを検出する(ステップ１５０１)と、無線通信部６０を制御して、周囲の携帯端末の端末状態を取得させる(ステップ１５０２)。具体的には、無線通信部６０は、次のような処理を行う。即ち、まず、ＩＱパケットをブロードキャストし、これに応じて携帯端末から識別情報(機器アドレス)を含むＦＨＳパケットが送信されると、それを受信する。その後、それらの携帯端末の１つを選択し、端末状態の送信を要求し、これに応じて携帯端末から端末状態の情報が送信されると、それを受信する。これにより、状態情報取得部１５２は、端末状態の情報を取得する。即ち、状態情報取得部１５２は、携帯端末の識別情報と、その携帯端末の端末状態の情報との対応を保持することになる。
なお、状態情報の取得は、ブルートゥースにおいては、所定のプロファイルに則って通信を行うことにより実現することができる。プロファイルとしては、既存のものを用いてもよいし、新たに策定してそれを用いるようにしてもよい。
【００８０】
次に、一次照合部１５３は、ステップ１５０２で受信した状態情報が状態情報保持部１５１に保持された状態情報と一致するかどうかを判断する(ステップ１５０３)。なお、本実施の形態では、画像形成装置は、携帯端末から画像データを取得し、その画像データに基づくプリントを行うか、または、携帯端末から画像所在指示データとして電子メールを取得し、その電子メールが示す位置にある画像データに基づくプリントを行うものとしてセットアップされているため、状態情報保持部１５１には、「何らかの画像または電子メールを表示している」という状態情報が記憶されており、ステップ１５０３での判断は、受信した状態情報が「何らかの画像または電子メールを表示している」ことを示す情報であるかどうかという判断になる。即ち、受信した状態情報が「何らかの画像または電子メールを表示している」ことを示すものでない場合は、別の携帯端末を選択し、再度、端末状態のリクエストを行う。一方、受信した状態情報が「何らかの画像または電子メールを表示している」ことを示すものである場合は、無線通信を行う候補としてその携帯端末の識別情報を図示しないメモリに登録し(ステップ１５０４)、別の携帯端末があるかどうかを判定し(ステップ１５０５)、別の携帯端末があれば、その携帯端末を選択して、ステップ１５０２〜１５０４の処理を繰り返す。一方、別の携帯端末がなければ、無線通信を行う候補としてこれまでに蓄積した携帯端末の識別情報を認証コード送信部１５４に伝える。
【００８１】
次に、認証コード送信部１５４は、蓄積された携帯端末から１つを選択し、ランダムに発生させた認証コードをその携帯端末に送出する(ステップ１５０６)。これにより、その携帯端末の表示部には、例えば、図７に示すような認証画像が表示される。また、この時、認証コードは、二次照合部１５６に対しても伝えておく。
一方、処理部１０は、撮像部４０を制御して、携帯端末の表示部に表示された画像のキャプチャを開始させ、画像取込部１５５が、キャプチャの結果である画像イメージを取り込む(ステップ１５０７)。
【００８２】
そして、二次照合部１５６は、ステップ１５０７で撮像され取り込まれた画像イメージが認証コード送信部１５４から伝えられた認証コードに基づき表示される認証画像のイメージと一致するかどうかを判定する(ステップ１５０８)。ここで、一致すると判定されなかった場合は、別の携帯端末を選択し、再度、認証コードの送出を行う。一方、一致すると判定された場合は、その画像イメージに対応付けられた携帯端末の識別情報を取り出し、データ取得部１５７に伝える。
なお、複数の携帯端末に対する認証コード送出の順序については、特に限定はしないが、例えば、電波の強度の大きいものから先に選択するようにすれば、端末状態がキャプチャ画像と一致する携帯端末が見つかるまでの時間を短くすることができるので、無線通信対象の携帯端末の探索処理の効率化が図れる。
【００８３】
その後、データ取得部１５７は、無線通信部６０を制御して、二次照合部１５６から伝えられた識別情報に対応する携帯端末に対し、携帯端末に記憶されたデータのうち、表示部に表示されている画像に対応するデータを取得するためのリクエストを送信させる。即ち、無線通信部６０は、撮像部４０により画像がキャプチャされた携帯端末の表示部に表示された画像に対応するデータの送信をリクエストする。このリクエストに応じて携帯端末からデータが送信され、無線通信部６０がそのデータを受信すると、データ取得部１５７が、そのデータを取得する(ステップ１５０９)。そして、データ種別判定部１５８が、そのデータが画像データそのものなのか、画像データの所在を示す画像所在指示データなのかを判定する(ステップ１５１０)。具体的には、そのデータに画像データの所在を示す情報(例えば、ＵＲＬ)と判断できる文字列が含まれている場合には画像所在指示データと判定し、それ以外は画像データと判定することができる。また、この判定処理にて画像データか画像所在指示データかが判定できない場合は、ユーザに問い合わせるようにしてもよい。
【００８４】
ここで、画像データであると判定された場合は、そのデータを印刷データとして設定し(ステップ１５１１)、画像所在指示データであると判定された場合は、画像取得部１５９が、その画像所在指示データが示す位置から画像データを取得し、その画像データを印刷データとして設定する(ステップ１５１２)。そして、印刷指示部１６０が、印刷データに基づくプリントを画像出力部３０に対して指示する(ステップ１５１３)。
以上により、第６の実施の形態の動作は終了する。
【００８５】
なお、本実施の形態では、ステップ１５０６で認証コードを送出した携帯端末とステップ１５０７で画像を撮像した携帯端末とが同一の場合は、ステップ１５０８における判断が必ず「ＹＥＳ」となるものと考えたが、ステップ１５０７でのキャプチャの不具合等により、必ずしもそのようにならないかもしれない。従って、ステップ１５０８における判断が「ＮＯ」の場合に、選択すべき携帯端末が存在するかどうかを判定するステップを設け、選択すべき携帯端末が存在すれば、ステップ１５０６に進み、選択すべき携帯端末がもはや存在しないようであれば、「携帯端末を特定することができません」等のメッセージを表示して処理を終了するようにしてもよい。
【００８６】
また、本実施の形態では、携帯端末の１つ１つに対し、ステップ１５０２〜１５０４の処理を行ったが、ステップ１５０２では、全ての携帯端末から端末状態の情報を受信し、ステップ１５０３及び１５０４では、それらの端末状態の情報の中から画像または電子メールを表示しているものを抽出するようにしてもよい。
【００８７】
さらに、上記の説明では、ステップ１５０２において受信され取得された携帯端末の識別情報及び状態情報の対応は、状態情報取得部１５２により保持される、といった記載に留めたが、これらの携帯端末の識別情報及び状態情報の対応を、図示しない記憶装置に記憶するようにしてもよい。
【００８８】
このように、本実施の形態では、無線通信により受信した端末状態により無線通信を行う対象の候補を絞り込んだ上で、送出した認証コードにより表示される画像イメージと撮像部４０で撮像した画像イメージとを照合することにより、画像形成装置の周囲に無線通信可能な複数の携帯端末が存在する場合に、特別な操作を行うことなく、無線通信を行う対象の携帯端末を特定することが可能となる。即ち、従来、無線通信手段を用いたシステムにおいては、携帯端末の認証のために携帯端末及び接続先の装置において何度かのキー操作やパスワード入力が必要であったが、本実施の形態では、Ｍ/Ｆ機の「スタート」ボタンを１度押下するだけで、携帯端末の特定を行えるようになっている。
また、本実施の形態では、無線通信を行う携帯端末を特定するためにその携帯端末の表示部に表示した画像をそのままプリントする画像として用いることや、プリントしたい画像の所在を示す情報として用いることを可能としている。
但し、携帯端末の認証時に表示部に表示した画像と異なる画像または表示部に表示した画像と異なる画像が示す位置にある画像をプリントするようにしてもよい。その場合は、ステップ１５０８において認証が完了すると、携帯端末に記憶された全ての画像データまたは画像所在指示データを取得し、それらをサムネイルで表示する等してユーザにプリントしたい画像またはプリントしたい画像の所在情報を含む画像を選択させるようにすればよい。
【００８９】
また、本実施の形態の第一の変形例として、ステップ１５０２〜１５０５を、第５の実施の形態にあるような、携帯端末の表示部に表示された画像をキャプチャして得られる画像イメージと携帯端末から無線通信により受信した端末状態の情報に含まれる画像イメージとの照合処理によって置き換えたものも考えられる。そうすることにより、一致度が所定の基準以上のものを無線通信を行う候補として認証コード送信部１５４に伝えて二次照合を行うことにより、無線通信を行う対象の携帯端末の特定をより正確に行うことができる。
さらに、本実施の形態の第二の変形例として、ステップ１５０２〜１５０５の照合処理を行わず、ステップ１５０６〜１５０８の照合処理のみを行うようにしたものも考えられる。
【図面の簡単な説明】
【００９０】
【図１】本発明の実施の形態における画像形成装置を含むネットワークシステムの構成を示したブロック図である。
【図２】本発明の実施の形態における画像形成装置のハードウェア構成を示したブロック図である。
【図３】本発明の第１の実施の形態における画像形成装置の処理部の機能構成を示したブロック図である。
【図４】本発明の第１の実施の形態における画像形成装置の処理部の動作を示したフローチャートである。
【図５】本発明の第２の実施の形態における画像形成装置の処理部の機能構成を示したブロック図である。
【図６】本発明の第２の実施の形態における画像形成装置の処理部の動作を示したフローチャートである。
【図７】本発明の第２、第４、第６の実施の形態で用いる認証画面の例を示した図である。
【図８】本発明の第３の実施の形態における画像形成装置の処理部の機能構成を示したブロック図である。
【図９】本発明の第３の実施の形態における画像形成装置の処理部の動作を示したフローチャートである。
【図１０】本発明の第４の実施の形態における画像形成装置の処理部の機能構成を示したブロック図である。
【図１１】本発明の第４の実施の形態における画像形成装置の処理部の動作を示したフローチャートである。
【図１２】本発明の第５の実施の形態における画像形成装置の処理部の機能構成を示したブロック図である。
【図１３】本発明の第５の実施の形態における画像形成装置の処理部の動作を示したフローチャートである。
【図１４】本発明の第６の実施の形態における画像形成装置の処理部の機能構成を示したブロック図である。
【図１５】本発明の第６の実施の形態における画像形成装置の処理部の動作を示したフローチャートである。
【符号の説明】
【００９１】
１０…処理部、１０１，１１５，１２１，１３５，１４１，１５５…画像取込部、１０２，１１２，１２２，１３２，１４２，１５２…状態情報取得部、１０３，１１３，１２３，１３３，１４３，１５３…一次照合部、１０４，１１７，１２４，１３７，１４４，１５７…データ取得部、１０５，１１８，１２６，１３９，１４７，１６０…印刷指示部、１１１，１３１，１５１…状態情報保持部、１１４，１３４，１５４…認証コード送信部、１１６，１３６，１５６…二次照合部、１２５，１３８，１４６，１５９…画像取得部、１４５，１５８…データ種別判定部、２０…画像入力部、３０…画像出力部、４０…撮像部、５０…ＵＩ部、６０…無線通信部、７０…記憶装置
【図１】
2005094206.tif 000003
【図２】
2005094206.tif 000004
【図３】
2005094206.tif 000005
【図４】
2005094206.tif 000006
【図５】
2005094206.tif 000007
【図６】
2005094206.tif 000008
【図７】
2005094206.tif 000009
【図８】
2005094206.tif 000010
【図９】
2005094206.tif 000011
【図１０】
2005094206.tif 000012
【図１１】
2005094206.tif 000013
【図１２】
2005094206.tif 000014
【図１３】
2005094206.tif 000015
【図１４】
2005094206.tif 000016
【図１５】
2005094206.tif 000017